(57)【要約】【課題】本発明は、卓球ラケットのブレード（３）にラバー（４）を貼り付ける方法に関する。【解決手段】本発明にしたがって、ラテックス材を使用してラバー（４）の貼り付けが行われる。特に天然ラテックスから成る層（７）を設けることができる。このプロセスにおいては、ラバー（４）の張り替えの際にブレード（３）またはラバー（４）を損なうことなく古いラバー（４）を剥がせることが長所である。さらに特に、ラバー（４）とブレード（３）との間を接合するために溶剤無しの接着剤接合を図ることが可能となる。【選択図】図１
2009544375.tif 000002
【特許請求の範囲】
【請求項１】
ラテックス材を使用して貼り付けることを特徴とする、卓球ラケット（１）のブレード（３）にラバー（４）を貼り付ける方法。
【請求項２】
ラテックス材を、ラバー（４）とブレード（３）との間を接着接合するために使用する、請求項１記載の方法。
【請求項３】
ラテックス材が天然ラテックスである、請求項１または２記載の方法。
【請求項４】
ラテックス材が接着剤構成物の一部である、前述の請求項の一項記載の方法。
【請求項５】
貼り付けるために設けられたラバー（４）の表面（８）が、セルゴム（６）および／またはイボゴム（５）を有する、前述の請求項の一項記載の方法。
【請求項６】
-ラテックス材の一部をブレード（３）の表面（９）に貼り付けるステップと、
-ラテックス材の別の部分をラバー（４）の表面（８）に貼り付けるステップとを有する、前述の請求項の一項記載の方法。
【請求項７】
-ブレード（３）の表面（９）および／またはラバー（４）の表面（８）に貼り付けたラテックス材を乾燥させ始めるステップをさらに有する、請求項５記載の方法。
【請求項８】
-ラバー（４）の表面（８）とブレード（３）の表面（９）をつなぎ合わせるステップをさらに有する、請求項５または６記載の方法。
【請求項９】
少なくとも部分的に塗りつけることによって貼り付けを行う、請求項５ないし７の一項記載の方法。
【請求項１０】
ラバー（４）とブレード（３）間のラテックス材を含む層（７）を特徴とする、ブレード（３）およびラバー（４）を有する卓球ラケット。
【請求項１１】
層（７）が、ラバー（４）とブレード（３）間の接着接合を保証する、請求項１０記載の卓球ラケット。
【請求項１２】
ラテックス材が天然ラテックスである、請求項１０または１１記載の卓球ラケット。
【請求項１３】
請求項１ないし９記載の方法の１つを使用してブレード（３）にラバー（４）を貼り付ける、請求項１０ないし１２の一項記載の卓球ラケット。
【発明の詳細な説明】
【技術分野】
【０００１】
本発明は、卓球ラケットの木板にラバーを貼り付ける方法並びに卓球ラケットに関する。
【背景技術】
【０００２】
図２は、従来の技術による通常の卓球ラケット１の俯瞰図を示し、図３は対応する側面図を示す。この卓球ラケット１は、卓球のボールを打つために設けられた２つの面にそれぞれ１つのラバー４を有し、このラバーは、通常「ラケット木質板」または略して「木質板」と呼ばれる卓球ラケット１の一部に貼り付けられる。ラケット木質板のその他の構成要素はグリップ２である。以下ではラバー４を貼り付けるラケット木質板の部分を「ラケットブレード」または略して「ブレード」３と呼ぶ。
【０００３】
ブレード３は、通常少なくとも大部分が木製である。国際卓球連盟ITTF（「International Table Tennis Federation」）の規則には、規則「２.４ラケット」に、その厚みにおける測定でブレード３の少なくとも８５％は天然木により構成されるべきであるという規定がある。ラケットブレード内の接着剤層を繊維物質で強化することは許されている。しかしながらこれは、全厚みの７.５％または０.３５ｍｍの少ない方を超えてはならない。
【０００４】
図１に見取り図が描かれているように、ラバー４は所謂「サンドウィッチゴム」から構成される。即ち外側の層はイボゴム５であり、その下側にある層はセルゴム６である。この外側の層は卓球プレーヤーからしばしば「上面ゴム」と呼ばれ、その下側にある層は「スポンジ」または「スポンジ下敷き」と呼ばれている。その際イボゴム５は、イボを外向きまたは内向きに設けることができる。イボゴム５に関しては、通常セルを含有していない天然または合成ゴム材が重要である。そのため一般にはスポンジゴムまたは泡ゴムは使用されない。それに対してセルゴム６に関しては、通常スポンジゴムまたは泡ゴムが重要である。代替でラバー４をイボゴム５層のみから構成することができ、これは通常外向きイボを有する。
【０００５】
ラバー４の材料は、前述の規則にしたがってブレード３を完全に覆わなくてはならないが、縁を越えてはならない（規則２.４.４）。
【０００６】
ラバー４は、通常接着剤層７によってブレード３に接合される。前述の規則にしたがってこの接着剤層７は、連続的且つ均一な厚みでなければならない（規則２.４.５）。
【０００７】
ラバーの寿命は、ブレードないしラケット木質板のそれより通常短い。ラバーは「消耗」し、一定期間後に交換しなければならない。今日では、卓球プレーヤーが、貼り付けられたラバーを含めた完成品の卓球ラケットを購入することはもはや慣例ではなく、通常ラバーとブレード付ラケット木質板を別々の成分の形で購入して、その後これを自身で貼り合わせる。産業界はこの方法に適応し、これに対してラバーをブレードに貼り付けるための特殊接着剤を提供している。その種の特殊接着剤は、通常「生接着剤」と呼ばれる。
【０００８】
ラケット木質板のブレードに２枚のラバーを貼り付けるために、卓球プレーヤーは通常以下のように行う。ブレードおよび両ラバー上に特殊接着剤（生接着剤）を刷毛で塗る。続いてこの接着剤がある程度乾き始めるまで一定時間待つ。続いてラバーをブレードの上に貼り付ける。バリエーションでは、接着すべき面を貼り合わせる前に、ラバーに２回または複数回塗りつける。
【０００９】
この方法によって、通常卓球ラケットのスイングが「より速く」なるようにラバーの性質を変化させることもできる。
【００１０】
その場合の問題は、慣例の特殊接着剤がベンゼンまたはトリクロロエチレンなどの形で溶剤を含むことにある。生接着剤の溶剤が蒸発することによって、周知のように眠気および眩暈などの健康にマイナスの影響が及ぼされる。このことは、ITTCが、2008年9月1日から溶剤を含む接着剤を有する卓球ラケットを許可しないきっかけとなった。特にこのことによって、卓球プレーヤー、特に子供や青少年の場合の溶剤に起因する健康被害が回避されるはずである。
【００１１】
今日では多くの卓球ラケットが、プレー直前に初めてラバーがそのラケット木質板に貼り合わせられる。これは通常相応の室内競技場で行われる。したがってこの場合、特に多くの溶剤が周囲の環境に放出される蒸発の第１段階が、ほぼ対応するプレー時間に当たる。それ故挙げられた問題は特に重大である。
【００１２】
溶剤蒸発の毒性作用以外に、これは大抵引火し易いものでもあるので、害があるだけではなく危険でもあることを顧慮しなければならない。
【００１３】
その他の短所としては、生接着剤の溶剤がラバーを浸食するおそれがあることが考慮される。これは、ラバーが複数回使用される場合に特に重大である。「サンドウィッチゴム」では、溶剤がセルゴム層内へ滲入し、セル壁を浸食して少なくとも一部溶かしてしまうことになり得る。さらに溶剤は通常イボゴム層内まで浸透し、この層にも影響を及ぼす。ラバーを溶剤が何度も浸透することで、これは特に早く脆くなり「硬直」し、イボゴムおよびセルゴム内に亀裂が形成される危険が高まる。サンドウィッチゴムの場合には、溶剤がイボゴム層とセルゴム層の間の接合を軟化させるので、接合が溶けて泡が形成される危険が生じる。
【００１４】
さらにラバーを繰り返し使用する場合には、接合のために設けられた表面に接着剤の層が集積し、この層は繰り返す度に厚みを増して、卓球ラケットの好ましからぬ重量増加を招くことが考慮される。
【００１５】
さらに溶剤は、ブレード表面を浸食するおそれがある。例えばブレードのカバー合板がほつれてしまいかねない。それに対処するためには、木の封蝋での処理などのブレード表面の特別な処理が必要である。しかしながらそのような木の漏れ止めは、続く主な接着接合力にまたもやマイナスに影響し得る。
【００１６】
産業界では、この問題に鑑みてすでに溶剤のない代替の接着剤が探索されている。その間に市場に提供された溶剤無しの接着剤は、なるほどブレードとラバー間の接着接合の強度に関しては良好な性質を有するが、さらにラバーを交換するために、ブレードおよびラバーをも損なうことなくブレードから容易に取り除くことが出来ないという短所を有する。引き剥がす場合にラバーがちぎれるおそれがあり、残渣がブレード上に残ってしまい、この残渣を取り除くのには非常な労力を必要とする。さらにラバーを引き剥がす際にブレードの木質面が損なわれる危険が生じる。
【００１７】
さらに先程挙げたこの非溶剤接着剤は、なるほど溶剤は含まないが、別の化学成分を有することを顧慮する必要がある。この化学成分によって原則的に、例えば卓球プレーヤーの健康に目を向けると、この化学成分はマイナスに作用するという危険が生じる。
【発明の概要】
【発明が解決しようとする課題】
【００１８】
本発明は、前述の問題を回避する、卓球ラケットのブレード上にラバーを貼り付ける方法並びに対応する卓球ラケットを提供するという課題に基づく。特に溶剤含有接着剤を使用せずにラバーをブレードに貼り付けることが可能となり、ラバーの交換が可能で、その際ラケット木質板を損なう危険が減少する。
【００１９】
この課題は、独立請求項の対象を用いて解決される。従属請求項には好ましい形態が挙げられている。
【課題を解決するための手段】
【００２０】
本発明の第１観点にしたがって、卓球ラケットのブレードにラバーを貼り付ける方法が考慮される。その場合にこの貼り付けは、本発明によってラテックス材の使用下で行われる。
【００２１】
このことによって、まずラバーを交換するために、交換すべき（ラテックス材で接着された）ラバーを、ブレードを損なうことなくブレードから容易に剥がすことができるという長所が生じる。ラバーとブレード間に存在するラテックス層は、引き剥がす場合一般に、ラバーの種類に関係してブレード上にのみまたはラバー上にのみ残る。ラテックス材から成る層がブレード上に残る場合には、難なくブレード表面を損なうことなくこのものから引き剥がすことができる。ラテックス材から成る層がラバー上に残る場合には、ブレードの木質板表面の洗浄はもはや必要ではなくなる。これは完全にきれいで損傷なく、容易に再び（新しい）ラバーを貼り付けることができる。
【００２２】
好ましくは接着接合用のラテックス材は、ラバーとブレードとの間に使用される。
【００２３】
好ましくはラテックス材は、天然ラテックス、即ち天然ゴムまたは樹脂またはその他の植物性樹脂などの天然のラテックスである。例えばラテックス材に関しては、天然ラテックスのみが重要であり、即ちこれはその他に添加剤や成分を含まない天然ラテックスである。
【００２４】
このラテックス材は、接着剤成分の一部となり得る。即ちラバーをブレードと接着するために「天然ラテックス接着剤」を使用することが図られ、これは例えば樹脂、天然ラテックスおよび（乳）カゼイン、セルロースまたはイソパラフィンなどのその他の物質から成る水性分散液を含む。
【００２５】
ブレード上に貼り付けるために設けられるラバーの表面は、セルゴムおよび／またはイボゴムを有することができる。
【００２６】
好ましくはこのプロセスは以下のステップを有する。即ち、ラテックス材の一部をブレード表面に塗布するステップと、ラテックス材のその他の部分をラバー表面に塗布するステップである。
【００２７】
さらに、ブレード表面および／またはラバー表面に塗布されたラテックス材を乾燥させ始めるステップが考慮される。
【００２８】
さらに、ラバー表面とブレード表面を貼り合わせるステップが考慮される。このステップは、特に最後に挙げた乾燥開始ステップ後に別の中間ステップを設けることなくすぐに行うことができる。
【００２９】
塗布は、少なくとも部分的に刷毛などで塗りつけることによって行うことができる。このようにして比較的容易に均一なラテックス材の層を塗布することができる。
【００３０】
本発明のその他の観点にしたがって、ブレードとラバーを有する卓球ラケットが考慮される。この卓球ラケットは、ラテックス材を含む層をラバーとブレードとの間に存在させることを特徴とする。
【００３１】
その場合にこの層は、ラバーとブレードとの間の接着接合を保証できる。
【００３２】
ラテックス材に関しては、天然ラテックスが重要である。
【００３３】
さらに、本発明の方法を使用してラバーがブレードに貼り付けられた卓球ラケットが考慮される。
【図面の簡単な説明】
【００３４】
【図１】ブレード上に貼り付けられたラバーの略部分図を示す。
【図２】従来の技術に係る卓球ラケットのスケッチによる平面図を示す。
【図３】図２の卓球ラケットの側面図を示す。
【発明を実施するための形態】
【００３５】
本発明を、以下に実施例に基づいて図に関連して詳しく説明する。
【００３６】
本発明の方法を用いて、ラバー４を卓球ラケット１のブレード３上に貼り付けることができる。
【００３７】
実施例にしたがって、その場合に以下の措置方法が図られる。まずラテックス材、即ちこの実施例では天然ラテックスを、例えば刷毛を用いて卓球ラケット１のブレード３の、ラバー４に接合するために設けられた表面９に塗布する。続いてラバー４に、同じく刷毛を用いてラテックス材を塗りつける。
【００３８】
ラテックス材に関しては、天然の材料、即ち例えば天然ラテックスまたは天然ゴムまたは樹脂などのその他の植物性樹脂または最後に述べた材料の混合物ないし複合品が重要である。その場合にこのラテックス材をその他の添加物無しに使用することが図られる。代替で、このラテックス材をその他の添加物に関連して使用することが図られる。例えば前述のラテックス材以外に、例えば乳カゼインの形のカゼイン、セルロース、イソパラフィン、水などを含む「天然ラテックス接着剤」を使用することが図られる。
【００３９】
天然ラテックスに関しては、刷毛を用いた塗布に非常に適する乳状液体が重要である。その場合に少なくとも近似的に、また卓球をするのに十分均一な厚みの層を容易に塗布することができる。
【００４０】
ラテックス材の塗布後に一定時間、即ちラバー４およびブレード３上に塗布されたラテックス材がいくらか乾き始めるまで待つ。例えばラテックス材が対応する表面８，９内にすでにしみ込んではいるが、まだ乾ききっていないぐらい長く待つことが図られる。続いてそれから特に別の中間ステップ無しに、またはその他の材料を塗布することなくラバー４とブレード３をつなぎ合わせる。即ちラバー４をブレード３上に貼り合わせる。このつなぎ合わせは、塗布されたラテックス材がしみ込んではいるが、まだ乾ききっていない時点まで行うことが図られる。２枚のつなぎ合わせたラテックス材層は、その後ラバー４をブレード３と接着させる接着層７を形成する。
【００４１】
代替で、ラバー４および／またはブレード３へのラテックス材の塗布を２回または複数回繰り返すことが図られる。
【００４２】
さらにつなぎ合わせを、圧力を作用させて、例えばピンチローラを用いて行うことが図られる。それによって特に一様なつなぎ合わせが達成される。
【００４３】
この事象は、（唯）１枚のラバー４に関してのみ記述されている。実際には、卓球ラケット１の２枚のラバー４を取り替えることになる。この場合にはこのプロセスは、両ラバー４をブレード３につなぎ合わせる前にすでに両ラバー４にラテックス材を塗りつけ、ブレード３の両面にも作業工程でラテックス材を塗布するようにして行われる。
【００４４】
ラバー４を取り替えるためには、これをブレード３から剥がして、それから新しいかまたは別のラバー４を代用することができる。
【００４５】
本発明によってブレード３上にラテックスが貼り付けられたラバー４は、ブレード３の表面９を損なうことなく容易にブレード３から剥がすことができる。このようにして、別の処理工程無しにラケット木質板をさらに使用することができる。
【００４６】
両ラテックス層、即ちブレード３上に塗布されたものとラバー４上に塗布されたものないし１つにまとめたラテックス層７は、ラバー４を剥がす場合にラテックス材の性質に基づいて両表面８，９の唯１つ、即ちブレード３の表面９上かラバー４の表面８上にのみ残る。これはラバー４の種類に関連する。ラテックス層７がブレード３上に残る場合には、この層をブレード３を損なうことなく難なくこのものから剥がすことができる。ラテックス層７がラバー４上に残る場合には、ブレード３の表面９の洗浄が省略される。表面９、即ち例えばカバー合板は、完全に清潔で損傷なく、別の処理工程無しにすぐに再び新しいラバー４と貼り合わせられる。
【００４７】
ブレード３に関しては、特に木製または大部分が木製のブレード３、特に木製表面を有するブレード３が重要である。ラバー４は、例えばセルゴム６およびイボゴム５のサンドウィッチ構造を有することができ、その場合にネップゴム５は外側の層を表し、イボを内向きまたはイボを外向きに配置することができる。代替で、例えば１つのイボゴム５のみにより構成される一層のラバー４が考えられ得る。
【００４８】
ラテックスは、天然品として化学添加物なしに使用することができる。
【００４９】
本発明の長所は以下のようにまとめられる。本発明の方法を用いて卓球ラケットにラバーを貼り付ける場合に溶剤含有接着剤の使用を回避することができる。さらにその場合に別の化学添加物も回避することができる。この方法を用いて、ラケット木質板のブレード表面を損なうことなくラバーを交換することが可能となる。特にこれを別個に洗浄する必要はない。
【符号の説明】
【００５０】
１  卓球ラケット
２  グリップ
３  ブレード
４  ラバー
５  イボゴム
６  セルゴム
７  接着剤層
８  貼り付けるために設けられたラバー表面
９  ブレード表面
【図１】
2009544375.tif 000003
【図２】
2009544375.tif 000004
【図３】
2009544375.tif 000005
【国際調査報告】
2009544375.tif 000006
2009544375.tif 000007
2009544375.tif 000008
2009544375.tif 000009
2009544375.tif 000010
2009544375.tif 000011